(57)【要約】【課題】耳の裏等を医療目的に応じた温度に冷却して治療できる医療用ペルチェ式部分冷却装置を提供する。【解決手段】ペルチェ素子により、所定の冷却水温度Ｔ１に冷却される冷却水タンクを備えた冷却水タンク装置と、前記冷却水タンク中の水を吸引し再度返却する循環パイプと、前記循環パイプの途中に配置された部分冷却用プローブとを有し、前記部分冷却用プローブは、その両端部を前記循環パイプと夫々接続されるプローブ内タンクと、一端面が前記プローブ内タンクに対して開放され前記冷却水タンクから吸引された冷却水で冷却される放熱部、及びその裏面で適宜伝熱シートを介して患部に接触される吸熱部を備えたプローブ側ぺルチェ素子とを備えたことを特徴とする医療用（２重）ペルチェ式部分冷却装置。【選択図】      図1
2006230761.tif 000002
【特許請求の範囲】
【請求項１】
ペルチェ素子により、所定の冷却水温度Ｔ１に冷却される冷却水タンクを備えた冷却水タンク装置と、前記冷却水タンク中の水を吸引し再度返却する循環パイプと、前記循環パイプの途中に配置された部分冷却用プローブとを有し、
前記部分冷却用プローブは、その両端部を前記循環パイプと夫々接続されるプローブ内タンクと、一端面が前記プローブ内タンクに対して開放され前記冷却水タンクから吸引された冷却水で冷却される放熱部、及びその裏面で適宜伝熱シートを介して患部に接触される吸熱部を備えたプローブ側ぺルチェ素子とを備え、
前記冷却水温度Ｔ１と前記プローブ側ペルチェ素子への通電量を制御することにより、前記患部側ペルチェ素子の吸熱部温度を前記医療の目的に応じた医療温度Ｔ２に制御する制御ユニットを備えたことを特徴とする医療用ペルチェ式部分冷却装置。
【請求項２】
前記プローブは、耳に引掛けるための取手と、この取手に支持され耳の裏の面に接触する基板とを有し、この基板の内部に前記プローブ内タンクを設け、このプローブ内タンクに対し放熱部を開放すると共にその裏面を吸熱部とした患部側ペルチェ素子を設けたことを特徴とする請求項１記載の医療用ペルチェ式部分冷却装置。
【請求項３】
前記プローブは、弾力性を有してＵ字状に形成された弓状部材の一端又は両端に、前記プローブ側ペルチェ素子の吸熱部が内側となるよう配置して固定したことを特徴とする請求項１記載の医療用ペルチェ式部分冷却装置。
【請求項４】
前記プローブは、頭部を覆うバンド状部材の内側に、前記プローブ側ペルチェ素子の吸熱部が内側となるよう配置して固定したことを特徴とする請求項１記載の医療用ペルチェ式部分冷却装置。
【請求項５】
前記プローブは、患部に巻付け可能の帯状部材の内側で、前記プローブ側ペルチェ素子の吸熱部が内側となるよう配置され、当該帯状部材の端末には面ファスナーを取付けたことを特徴とする請求項１記載の医療用ペルチェ式部分冷却装置。
【発明の詳細な説明】
【技術分野】
【０００１】
本発明は、耳等の患部を所要温度で冷却することができる医療用ペルチェ式部分冷却装置に関する。
【背景技術】
【０００２】
近年、医学の分野において、耳の裏（背部）に位置する後頭部及び側頭部に冷却剤を当て、頭蓋骨までを伝熱冷却し、内耳蝸牛温度を平熱より１〜２℃低下させると、突発性難聴や原因不明病に治療効果が出ることが解明された。
【０００３】
ところが、耳の裏に位置する側頭部を冷却するには、氷その他の冷却剤を当てるしかなく、適温制御が難しく、その為の装置の開発が必要となった。そこで、その為の装置として、ペルチェ素子を使えば良いことが示唆される。
【０００４】
従来のペルチェ素子を用いた冷却装置としては、特許公開平１０−２４６５３１号公報（熱電変換装置）のものの例がある。これは、熱移動媒体が通過するジャケットの形状を工夫することにより、ペルチェ素子の放熱部を効率よく冷却しようとするものである。
【０００５】
しかしながら、この熱電変換装置に通される熱移動媒体と、ペルチェ素子の表面温度との関係が不明であり、これをそのまま耳の裏に当てても適切な内耳冷却効果が出るか否かは疑問であり、正確を要する医療用としてはこのまま使用できず、別途に設計されねばならない。
【０００６】
特開２０００−９９２０２号公報（疼痛緩和器、及びこれに用いたプローブ）は、注射針を刺した状態での疼痛を和らげるため、加温と冷却を交互に繰り返すリズムモードを設けたというものである。
【０００７】
しかしながら、このプローブは、あくまで疼痛緩和用であって、加熱と冷却を繰り返すことはできるが、耳の裏を冷却し耳の治療をするのには用いることができない。しかも、ペルチェ素子の通電のみにより冷却、加熱を行うものであるので、その程度もペルチェ素子の大きさによって制限され、耳の治療に用いることはできない。
【特許文献１】特許公開平１０−２４６５３１号公報、第１頁、図１
【特許文献２】特開２０００−９９２０２号公報、第１頁、図１
【発明の開示】
【発明が解決しようとする課題】
【０００８】
本発明は、耳の裏に位置する側頭部を冷却し、頭蓋骨までを伝熱冷却して、内耳蝸牛温度を１〜２℃低下させるという耳の治療方法に適用でき、長時間（数分間〜数時間）耳の裏を１０〜１５℃の温度で冷却し、しかもその温度を誤差１℃以内で医師の指示通りに適切に変化対応可能の医療用ペルチェ式部分冷却装置を提供することを目的とする。
【課題を解決するための手段】
【０００９】
上記課題を解決するための本発明の医療用ペルチェ式部分冷却装置は、ペルチェ素子により、所定の冷却水温度Ｔ１に冷却される冷却水タンクを備えた冷却水タンク装置と、前記冷却水タンク中の水を吸引し再度返却する循環パイプと、前記循環パイプの途中に配置された部分冷却用プローブとを有し、前記部分冷却用プローブは、その両端部を前記循環パイプと夫々接続されるプローブ内タンクと、一端面が前記プローブ内タンクに対して開放され前記冷却水タンクから吸引された冷却水で冷却される放熱部、及びその裏面で適宜伝熱シートを介して患部に接触される吸熱部を備えたプローブ側ぺルチェ素子とを備え、前記冷却水温度Ｔ１と前記プローブ側ペルチェ素子への通電量を制御することにより、前記患部側ペルチェ素子の吸熱部温度を前記医療の目的に応じた医療温度Ｔ２に制御する制御ユニットを備えたことを特徴とする。
【００１０】
冷却水タンク装置は、ペルチェ素子により、所定の冷却水温度、例えば１０〜２０℃に正確に温度制御できるので、所要の一定温度Ｔ１（例えば１３±０．１℃）の冷却水を部分冷却用プローブに対して供給することができる。また、冷却水タンク装置をペルチェ素子により冷却するので、装置を小型化でき、ポータブル化することができる。さらには、バッテリ駆動等とすることにより超小型化（例えば３〜５ｋｇ）でき、病室やベットへの設置を容易に行うことができる。冷却用水を別途に準備する必要がなく、水道ホースを引張る必要もない。大掛かりな空冷設備も必要ない。
【００１１】
一方、部分冷却用プローブには、その一端面を前記冷却水タンク装置から供給される冷却水で冷却され、裏面で患部を二次的に冷却可能のプローブ側ペルチェ素子を備えている。従って、患部側ペルチェ素子の表面温度を医療目的に応じた温度Ｔ２として正確に出力することができる。このとき、冷却水タンク装置の冷却水温度Ｔ１は、医療目的に応じた温度Ｔ２に近い温度に制御する。例えば、Ｔ２＝１２℃ならばＴ１＝１３〜１５℃のように制御する（Ｔ１≧Ｔ２℃）。従って、プローブ側ペルチェ素子への通電量を小さな値で細かく制御することにより、その表面出力温度を医療目的温度Ｔ２に対し極めて正確に安定して出力することができる。医療目的温度Ｔ２は、必ずしも常時一定ではなく、時間を置いて変化（例えば５分毎に１℃づつ低下させる）させたり、逆に加熱（例えば接触面の冷却温度を一時的に１５℃に上昇）させたい場合もある。これらの目標温度の変化に対し、プローブ側ペルチェ素子の通電により臨機応変に対応可能である。加温の場合には患部側ペルチェ素子への通電方向を逆にすれば良い。さらには、患者に手元スイッチ（温度ボリューム）を持たせ、医師の許可する範囲で好みに応じて、少し冷たく（例えば１１．５℃）、或いはより冷たく（例えば１１°）、或いは一時的に暖かく（例えば１５℃）する等の対応も可能である。
【００１２】
以上の如く構成された医療用ペルチェ式部分冷却装置（以下、２重ペルチェ式部分冷却装置とも呼ぶ）は、ポータブルに形成されて病室やベットに運ばれ、部分冷却用プローブを患部に当てることにより、耳の裏をはじめ、頭、腕、肩、肘、足、膝、腰等の患部を医療目的に応じた温度に正確に安定して冷却することができる。
【００１３】
前記プローブは、耳に引掛けるための取手と、この取手に支持され耳の裏の面に接触する基板とを有し、この基板の内部に前記プローブ内タンクを設け、このプローブ内タンクに対し放熱部を開放すると共にその裏面を吸熱部とした患部側ペルチェ素子を設けたもの（以下、耳掛け式と呼ぶ）とすることができる。
【００１４】
耳掛け式のプローブを用いた部分冷却装置によれば、１つのプローブ本体を用いて片方の耳の裏を、又は２つのプローブ本体を用いて両方の耳の裏を同時的に冷却することができる。２つのプローブ本体を用いる場合であっても、これらを並列接続すれば冷却水タンク装置は１つで良いこと勿論である。この場合、夫々の冷却温度を個別に制御できる。
【００１５】
前記プローブは、弾力性を有してＵ字状に形成された弓状部材の一端又は両端に、前記プローブ側ペルチェ素子の吸熱部が内側となるよう配置して固定したもの（以下、ヘッドホン式と呼ぶ）とすることができる。
【００１６】
このヘッドホン式のプローブによれば、弓状部材の両端に一対のプローブ本体を取付けることにより、両方の耳の裏を同時に冷却することができる。片方のプローブ本体を省略することにより、又は片方のプローブ本体を休止状態とすることにより、片方の耳の裏のみ冷却することもできる。
【００１７】
前記プローブは、頭部を覆うバンド状部材の内側に、前記プローブ側ペルチェ素子の吸熱部が内側となるよう配置して固定したもの（以下、ヘアバンド式と呼ぶ）とすることができる。
【００１８】
このヘアバンド式のプローブによれば、バンド状部材の裏面にプローブ本体を設け、プローブ本体の表面を患部に当てることにより、耳の裏や額部等を冷却することができる。
【００１９】
前記プローブは、患部に巻付け可能の帯状部材の内側で、前記プローブ側ペルチェ素子の吸熱部が内側となるよう配置し、当該帯状部材の端末には面ファスナーを取付けたもの（以下、帯式と呼ぶ）とすることができる。
【００２０】
帯式のプローブによれば、帯の裏にプローブ本体を設け、これを患部に巻付け、面ファスナーで固定することにより、耳の裏をはじめ、頭、腕、肩、肘、足、膝、腰等体の任意の位置を冷却することができる。プローブ側ペルチェの通電方向を逆にすることにより加温することも可能である。
【発明の効果】
【００２１】
本発明の医療用ペルチェ式部分冷却装置によれば、ペルチェ素子により冷却される冷却水タンクを備えた冷却水タンク装置と、前記冷却水タンク中の水を吸引し再度返却する循環パイプとを有し、前記循環パイプの途中に配置された部分冷却用プローブを有し、このプローブには、前記循環パイプを流れる冷却水で冷却され、その裏面を患部に接触する吸熱部として医療温度に制御できるペルチェ素子を備えたので、設備を小型化、ポータブル化することができ、病室やベッドに気楽に設置できる。冷却水タンク装置をバッテリ駆動とすれば、よりコンパクトに形成できる。しかも、冷却水タンクの冷却水温度に対してプローブ側ペルチェ温度の吸熱部を任意に温度設定できるので、医療温度に応じて安定して高精度に制御でき、耳の治療の他各種医療目的を達成することができる。１つの冷却水装置に対して複数のプローブを付属させ、かつ各ブローブ温度を個別に制御できるので、複数患部に対して対応可能である。
【００２２】
プローブを耳掛け式、即ち、片方の耳に引掛けるための小さな取手と、この取手に支持され耳の裏の面に接触する基板とを有し、この基板の内部にプローブ内タンクを設け、このプローブ内タンクに対し放熱部を開放すると共に、その裏面を吸熱部とした患部側ペルチェ素子を設けた形とすれば、プローブを耳に引掛けて耳の裏を冷却できる。患者は座った状態で又は寝た状態いずれでも良く、姿勢に制限を受けないので長時間であっても楽に治療を受けることができる。
【００２３】
ヘッドホン式、即ち弓状部材の両端に一対のプローブ本体を取付けることにより、片方の耳の裏又は両方の耳の裏を医療目的に応じた温度に制御できる。この場合も、姿勢に制限を受けないので、長時間であっても楽に治療を受けることができる。また、ヘッドホンに音楽等を流すことにより、楽しく治療を受けることができる。
【００２４】
ヘアバンド式、即ち頭部を覆うバンド状部材の内側に、プローブ側ペルチェ素子の吸熱部が内側となるよう配置して固定すれば、頭部はヘアバンドを取付けた形にてプローブ本体の表面を患部に当てることができ、耳の裏や額部等を医療目的に応じた温度に冷却することができる。
【００２５】
帯式、即ち患部に巻付け可能の帯状部材の内側で、プローブ側ペルチェ素子の吸熱部が内側となるよう配置し、当該帯状部材の端末には面ファスナーを取付けたものとすれば、帯の裏にプローブ本体を設け、これを患部に巻付け、面ファスナーで固定することにより、頭に巻付けて耳の裏や額を冷却することができる他、腕、肩、肘、足、膝、腰等任意の位置に巻付けて所要の患部を冷却することができる。
【発明を実施するための最良の形態】
【００２６】
以下、添付図面を参照して本発明を実施するための最良の形態を説明する。図１は、本発明の２重ペルチェ式部分冷却装置の全体構成を示す断面図である。図２は、図１の部分冷却用プローブの拡大正面図である。図３は、図２のF３−F３線に沿って示す断面図である。図４は、制御装置の一例を示すブロック図である。図５〜図１４は、プローブの構成例及びその使用形態を示す説明図である。
【００２７】
図１〜図４に示すように、本発明の一実施形態に係る医療用ペルチェ式部分冷却装置１は、ペルチェ素子２により、所定の冷却水温度Ｔ１に冷却される冷却水タンク３を備えた冷却水タンク装置４と、前記冷却水タンク３中の水を吸引し再度返却する往復の循環パイプ５、６と、前記循環パイプ５、６の途中に配置された部分冷却用プローブ７とを有し、前記部分冷却用プローブ７は、その両端部を前記循環パイプ５、６と夫々接続されるプローブ内タンク８と、一端面が前記プローブ内タンク８に対して開放され前記冷却水タンク３から吸引された冷却水で冷却される放熱部９ａ、及びその裏面で適宜伝熱シートを介して患部に接触される吸熱部９ｂを備えたプローブ側ぺルチェ素子９とを備え、前記冷却水温度Ｔ１と前記プローブ側ペルチェ素子９への通電量を制御することにより、前記プローブ側ペルチェ素子９の吸熱部９ｂの温度を医療の目的に応じた医療温度Ｔ２に制御する制御ユニット１０を備えたことを特徴とする。
【００２８】
前記冷却水タンク装置４は、足部１１に支持されたフレーム材１２を有し、これに支持された断熱材１３内に１〜５リットル程度の容量の銅製又はアルミニウム製の冷却水タンク３を有し、この冷却水タンク３の底部にペルチェ素子２で構成される複数ペルチェ素子２のユニットが配置されている。
【００２９】
前記ペルチェ素子２の下部には放熱ユニット１４が配置され、その下方に開口部に向けて気流を放出する冷却ファン１５が設けられている。従って、ペルチェ素子２で冷却水タンク３中の水を冷却することができ、ペルチェ素子２で吸熱された熱量は、放熱ユニット１４及び冷却ファン１５を介して下方に放出できる。
【００３０】
前記断熱材１３の側面には、制御ユニット１０と交流電源の接続口１６が配置されている。バッテリ駆動の例では、この位置にバッテリ（図示せず）が配置される。バッテリ共用も可能である。これについては、図４で詳述する。
【００３１】
さらに、前記冷却水タンク３内には小型の循環ポンプ１７が配置され、吸引した冷却水を断熱ホース製の柔軟循環パイプ５を介して部分冷却用プローブ７に送るようになっている。図にはプローブ７を１個示しているが、適宜バルブ（図示せず）を介して２個以上並列配置できる。冷却水の流れを方向（ｉｎ）、（ｏｕｔ）で示す。循環パイプ５、６は、柔軟で細径（３〜６ｍｍ）のものを用いている。プローブ７回りでは、循環パイプは一方向にまとめられることもある。
【００３２】
その他、冷却水タンク３の上下や各プローブの中には多数の温度センサ１８Ｔが設けられ、センサ線１９を介して前記制御ユニットと接続され、また、プローブ側ペルチェ素子９に対して直流電流を供給するための電熱線が配線される。図１〜図３では、これらセンサ線及び電線類の多くを省略して示している。温度センサが多数存在するため、冷却水タンク側１８Ｔ、プローブ側１８Ｐとして示す。同様にそのセンサ線を１９Ｔと１９Ｐで示す。
【００３３】
図２及び図３に示すように、部分冷却水プローブ７は、本体部分としての基板４０を有し、ジョイント２０、２１を介して前記循環パイプ５、６とプローブ内タンク８とが接続されている。ペルチェ素子９は放熱部９ａをタンク側に開放し、その裏面を表面吸熱部９ｂとして、ここに伝熱シートクッション２２を張り、その表面で患部を冷却するようにしている。センサ線１９Ｐとペルチェ電源線２３Ｐは、コネクタ２４Ｃでまとめられ、制御ユニット１０のメインコイルと接続されている。各部分冷却用プローブ７には温度調節可能の手元スイッチ２４（図１に示す）が設けられている。
【００３４】
以上の構成により、医療目的温度Ｔ２に対し、冷却水温度Ｔ１を定め、これを循環パイプ５を介して部分冷却用プローブ７のプローブ内タンク８に対して供給することができる。例えば、耳の治療において、医師が１２℃を指定したとする。すると、冷却水温度をそれより少し高く１３℃に設定し、プローブ側ペルチェ素子９に通電することにより、ペルチェ素子９の表面温度を目標温度Ｔ２に制御できる。手元スイッチ２４により、プローブ７毎に制御温度を変化させることもできる。バルブ操作を含めて片方のみ作動させることもできる。さらにはペルチェ素子９への通電電流方向を反対とすることにより、予めの冷却水温度Ｔ１より高い温度にすることも可能である。２重ペルチェ式であるので、ポータブルな構成にし冷却水温度を自由に調整でき、その温度を基準として医療目的温度を正確に維持することができる。放熱部９ａに直接水を接触させないために、銅板９ｃを敷き、その間に感熱グリス又はシートを挟み込むようにしている。
【００３５】
プローブ側にのみペルチェ素子を設けるのと比べ、冷却水温度を自由に設定できるので、流水量、熱量取得効果の各種制御困難性を解除し、容易、正確、安定して制御できる。因みに、冷却水を水道水による場合には、水道水が無い場所では使えないし、水の排水を節約できないのは仕方ないとしても、水道水が２０℃であるような場合、それから８℃も低下させて安定して医療目的温度、例えば１２℃を得るのは困難である。これら諸条件に対し、本発明の２重ペルチェ式のものは容易に対応でき、正確に安定して使用できる。かつ、医師の指定温度が１０℃以下であっても、２０℃以上であっても、さらにはこれらを種々変化させるような場合であっても、容易に対応できる。
【００３６】
図４に、上記医療用ペルチェ式部分冷却装置１を駆動するための制御装置２５の構成例を示した。手元スイッチ２４は省略して示している。また、本例は基本構成を示し、プローブ７が１個である場合の例で示している。
【００３７】
図４に示すように、マイクロコンピュータで構成される制御ユニット１０には、冷却水タンク装置４側を制御するために、電流検出器２６−１、２６−２と、多数の温度センサ１８Ｔ−１〜１８Ｔ−７と、循環ポンプ１７のＦＧ検出器２７と、冷却水タンク及び素子の能力及び極性制御器２８と、循環ポンプ１７の回転制御器２９とが接続されている。能力・極性制御器２８には、前記冷却水タンク側ペルチェ素子２が接続されている。従って、各温度センサ１８Ｔ−１〜１８Ｔ−７の温度入力に基いて、冷却水タンク３の温度を適正に保ち、循環ポンプ１７を駆動して適正流量の冷却水をプローブ７に対して供給することができる。
【００３８】
図４の下方に示すように、制御ユニット１０には、ＡＣ−ＤＣ電源回路３０と、ＤＣ−ＤＣ電源回路３１とが接続されている。ＡＣ−ＤＣ電源回路３０にＡＣ電源が入力され、ＤＣ−ＤＣ電源回路３１に直流電源を供給できるようになっている。ＤＣ−ＤＣ電源回路３１には、バッテリ３２とも接続され、各端子は電圧を１８Ｖ、１６Ｖ、１２Ｖ，５Ｖを異ならしめて、所要の部所に電源供給するための電圧供給端子ＴＭ−１〜ＴＭ−５を備えている。従って、交直流いずれも入力可能であり、ポータブルな構成にして、いずれの病室、ベッドでも利用可能である。出張もできる。
【００３９】
図４の右上方に示すように、制御ユニット内には、プローブ側の制御を行うために、多数の温度センサ１８Ｐ−１〜１８Ｐ−７と、電流検出器３３と、プローブ側ペルチェ素子９の能力・極性制御器３４とが接続されている。温度センサ１８Ｐ−１、１８Ｐ−２は位置を変えて素子の温度を検出している。温度センサ１８Ｐ−３はプローブ表面温度を検出している。温度センサ１８Ｐ−４は循環水の温度を検出している。温度センサ１８Ｐ−５は結露を検出している。赤外線温度センサ１８Ｐ−６、１８Ｐ−７はＩＲ素子駆動・演算アンプ３５のアンプを用いて鼓膜温度を非接触で検出している。従ってプローブ７側の温度を検出し、ペルチェ素子９の出力温度を適切に制御できる。高精度を得るためには、冷却水温度Ｔ１との差を余りに大きく持たせないよう両者の温度を適切に制御する。
【００４０】
さらに、制御ユニット１０には、ＬＣＤディスプレイ３６ｂと接続されるＬＣＤドライバ３６ａと、制御指令を行うプログラムを格納するメインマイコン１０と、各実験値や実測値を格納するＥ２ＰＲＯＭ３６ｃと、キーパッド３７が接続されている。キーパッド３７からは適宜パラメータ数値を入力できる。キーパッド３７には温度ボリュームを付属させることもできる。従って、メインマイコン１０に制御基本プログラムを入力し、キーパッド３７にて温度指令することにより、冷却水温度Ｔ１及びプローブ７側のペルチェ素子９の温度を適切に制御でき、ペルチェ素子９の温度を医療目的温度Ｔ２に高精度に安定して制御できる。プローブ７が複数の場合には、夫々個別に制御できること勿論である。また、各プローブに個別の温度ボリュームを持たせておけば、個別に患者の希望も含めて任意に調節できる。
【００４１】
図５及び図６に耳掛け式プローブ７Ａの例を示す。本実施形態に示す耳掛け式プローブ７Ａは、耳（図には右耳を示す）３８に引掛ける取手３９と、基板４０内に設けたプローブ内タンク８と、アルミニウム又は銅製の電熱板４１を介してプローブ側ペルチェ素子９とを備えて成る。プローブ内タンク８には、循環パイプ５、６と接続されるジョイント２０、２１を有するが、これは耳３８の下方に位置させるべく本体基板４０の一方向に設けられている。プローブ内タンクには、ペルチェ素子９の放熱部を効率よく冷却できるよう、適切仕切り等設け、流路構成されている。
【００４２】
以上の構成により、本例の耳掛け式プローブ７Ａは、耳３８に引掛けて、楽な姿勢で耳３８の裏を冷却することができる。左耳に対しては、図５に示すものと対称構造のもう１つのプローブ（図示せず）を準備することにより、一対のプローブにて両耳の裏を同時的に冷却することができる。
【００４３】
図７及び図８に示す耳掛け式プローブ７Ｂは、図５及び図６に示すものに対し、ペルチェ素子９を２個用いた点が異なる。図５及び図６を子供用とすれば、図６及び図７そのものは大人用であるとすることもできる。治療内容に応じ冷却面積が大なるときも対応可能である。
【００４４】
図９及び図１０に示すヘッドホン式プローブ７Ｃは、弾力性を有してＵ字状に形成された弓状部材４２の一端又は両端に、プローブ本体を為す基板４０を設けたもので、基板４０は、ヘッドホン本体４３に対し抜き差し自在に構成している。また、ヘッドホン本体４３は、実際のヘッドホンとしてラジオやＣＤを聴くことができるよう、音声コード４３及びスピーカ４４が設けられている。
【００４５】
図９及び図１０に示すヘッドホン式プローブ７Ｃによれば、耳の裏にプローブの冷却部分を楽に当てることができ、かつヘッドホンで音楽等を聴くことができるので、冷却時間が長くとも、楽に耳の治療を受けることができる。基板４０に赤外線センサを取付け、これを非接触型体温計として、患者の内耳付近の温度をリアルタイムで測定し、医療データを得ることができる。
【００４６】
図１１に示す帯式プローブ７Ｄは、帯状部材４５の内側に、プローブ側ペルチェ素子９を備えた本体基板４０を取付けたものである。帯状部材４５の端末には面ファスナー４６を設けてある。
【００４７】
図１１に示す帯式プローブ７Ｄは、図１２に示すように、耳を通して頭に掛け、耳の裏にプローブ７Ｄの基板４０を当てることにより、耳の裏を冷却することができる。この例では、帯でなくとも伸縮自在のバンドとしても同様である。
【００４８】
図１３に示すように、頭に巻き、プローブ本体基板４０を額に当て、頭を冷やすことにも応用できる。
【００４９】
図１４は、図１１に示す帯式プローブ７Ｄを耳以外の各部の治療に用いた応用例を示す説明図である。（ａ）図に示すように腕に巻き、打ち身等による患部を冷却することができる。（ｂ）図に示すように足（脚）の腿部を冷却することができる。（ｃ）図に示すように膝を冷却することもできる。（ｄ）図に示すように腰を冷却することもできる。これら（ａ）〜（ｄ）図に示すように、帯状部材４５は、体のどの部位にでも巻付けることができるので、任意の患部を冷却することができる。
【００５０】
本発明は、上記実施形態に限定されるものではなく、本発明の要旨を逸脱しない範囲で適宜変形して実施できる。例えば、冷却水は最も安全で合理的な水の例で示したが、水以外の液体であっても冷却媒体としては水と同様である。
【図面の簡単な説明】
【００５１】
【図１】本発明の２重ペルチェ式部分冷却装置の全体構成を示す断面図である。
【図２】図１に示す部分冷却用プローブを拡大して示す正面図である。
【図３】図２のＦ３−Ｆ３線に沿って示す断面図である。
【図４】図に示す２重ペルチェ式部分冷却装置を制御するための構成例を示す制御ブロック図である。
【図５】耳掛け式プローブの構成例を示す正面説明図である。
【図６】図５のＦ６−Ｆ６線に沿って示す断面図である。
【図７】耳掛け式プローブの他の構成例を示す正面説明図である。
【図８】図７のＦ８−Ｆ８線に沿って示す断面説明図である。
【図９】ヘッドホン式プローブの構成例を示す側面図である。
【図１０】図９に示すプローブを拡大して内側から見た内面図である。
【図１１】帯式プローブの構成例を示す斜視図である。
【図１２】図11に示す帯式プローブの使用形態を示す側面図である。この図はヘアバンド式プローブの使用形態を兼ねて示している。
【図１３】図１１に示す帯式プローブを用いて頭部（額）を冷却するときの使用例を示す正面図である。
【図１４】帯式プローブの他の使用形態を示す正面図で、（ａ）図は腕に、（ｂ）図は足に、（ｃ）図は膝に、（ｄ）図は腰に適用した例を示している。
【符号の説明】
【００５２】
１  医療用ペルチェ部分冷却装置
２  冷却水タンク側ペルチェ素子
３  冷却水タンク
４  冷却水タンク装置
５、６  循環パイプ
７  部分冷却用プローブ
７Ａ、７Ｂ  耳掛け式プローブ
７Ｃ  ヘッドホン式プローブ
７Ｄ  帯式プローブ
８  プローブ内タンク
９  プローブ側ペルチェ素子
９ａ  放熱部
９ｂ  吸熱部
９ｃ  銅板
１０  メインマイコン
１１  足部
１２  フレーム
１３  断熱材
１４  放熱ユニット
１５  冷却ファン
１６  電源接続口
１７  循環水中ポンプ
１８Ｔ、１８Ｐ  温度センサ
１９Ｔ、１９Ｐ  センサ線
２０、２１  ジョイント
２２  伝熱シートクッション
２３Ｐ  ペルチェ素子電源線
２４  手元スイッチ
２４Ｃ  コネクタ
２５  制御装置
２６−１、２６−２、３３  電流検出器
２７  ＦＧ検出器
２８、３４  能力・極性制御器
２９  循環ポンプ回転制御器
３０  ＡＣ−ＤＣ電源回路
３１  ＤＣ−ＤＣ  電源回路
３２  入力端子
３５  ＩＲ素子駆動・演算アンプ
３６ａ  ＬＣＤドライバ
３６ｂ  ＬＣＤディスプレイ
３６ｃ  Ｅ２ＰＲＯＭ
３７  キーパッド
３８  耳
３９  取手
４０  基板
４１  伝熱板
４２  弓状部材
４３  ヘッドホン本体、音声コード
４４  スピーカ
４５  帯状部材
４６  面ファスナー
（ｉｎ）  流入方向
（ｏｕｔ）  流出方向
Ｔ２  医療目的温度
Ｔ１  冷却水温度
ＡＣ−ＩＮ  ＡＣ電源入力
ＴＭ−１〜ＴＭ−５  電圧供給端子
【図１】
2006230761.tif 000003
【図２】
2006230761.tif 000004
【図３】
2006230761.tif 000005
【図４】
2006230761.tif 000006
【図５】
2006230761.tif 000007
【図６】
2006230761.tif 000008
【図７】
2006230761.tif 000009
【図８】
2006230761.tif 000010
【図９】
2006230761.tif 000011
【図１０】
2006230761.tif 000012
【図１１】
2006230761.tif 000013
【図１２】
2006230761.tif 000014
【図１３】
2006230761.tif 000015
【図１４】
2006230761.tif 000016